(57)【要約】【課題】  遊技球の抜き取りの際に払出通路側に残っている遊技球を迅速に抜き取ることができ、作業効率を格段に高めることができるようにする。【解決手段】  遊技機１は、遊技球８の貯留タンク３０と、貯留タンク３０の遊技球８を下流側に通過させて遊技機１外に払い出す払出通路３１と、貯留タンク３０の遊技球８を抜き取るための抜取通路３２と、払出通路３１と抜取通路３２とを切り替える切替弁５０と、切替弁５０の下流側でかつ払出通路３１の中途部に設けられるとともにこの払出通路３１を通る遊技球８を所定の個数で排出させる払出装置４１とを備え、払出装置４１は、遊技球８が抜取通路３２を通過するように切替弁５０が通路を切り替えたときに、この切り替えに連動してこの払出装置４１よりも上流側で払出通路３１内に残っている遊技球８を下流側に払い出すように構成されている。【選択図】図２
2008229243.tif 000002
【特許請求の範囲】
【請求項１】
遊技機の上部に設けられる遊技球の貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技球排出構造であって、
払出装置は、遊技球が抜取通路を通過するように切替弁が通路を切り替えたときに、この切り替えに連動してこの払出装置よりも上流側で払出通路内に残っている遊技球を下流側に払い出すように構成されてなることを特徴とする遊技球排出構造。
【請求項２】
遊技機の上部に設けられる遊技球の貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技球排出構造であって、
払出装置は、遊技球が抜取通路を通過するように切替弁が通路を切り替えたときに、この切り替えに連動してこの払出装置よりも上流側で払出通路内に残っている遊技球を下流側に払い出すように構成され、
払出通路には、この払出装置が払い出す遊技球を抜取通路へと流れるように案内する案内通路が設けられていることを特徴とする遊技球排出構造。
【請求項３】
遊技球を貯留する貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技機であって、
払出装置は、遊技球が抜取通路を通過するように切替弁が通路を切り替えたときに、この切り替えに連動してこの払出装置よりも上流側で払出通路内に残っている遊技球を下流側に払い出すように構成されてなることを特徴とする遊技機。
【請求項４】
遊技球を貯留する貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技機であって、
払出装置は、遊技球が抜取通路を通過するように切替弁が通路を切り替えたときに、この切り替えに連動してこの払出装置よりも上流側で払出通路内に残っている遊技球を下流側に払い出すように構成され、
払出通路には、この払出装置が払い出す遊技球を抜取通路へと流れるように案内する案内通路が設けられていることを特徴とする遊技機。
【請求項５】
遊技球が抜取通路を通過するように前記切替弁が通路を切り替えるときに、切替弁と当接することで払出装置を作動させる作動スイッチを有することを特徴とする請求項３または４に記載の遊技機。
【請求項６】
前記作動スイッチは、抜取通路を区画する区画壁の内面側に設けられていることを特徴とする請求項５に記載の遊技機。
【請求項７】
前記切替弁は、手動によって払出通路と抜取通路とを切り替え可能に構成されてなることを特徴とする請求項３〜６のいずれか１項に記載の遊技機。
【請求項８】
前記切替弁が遊技球の通路を抜取通路に切り替えたときに、この切り替えに連動して、払出通路を遮断するとともに、払出装置の上流側で払出通路内に残っていた遊技球を抜取通路へと案内する案内部材が払出装置の下流側に設けられていることを特徴とする請求項３または４に記載の遊技機。
【発明の詳細な説明】
【技術分野】
【０００１】
本発明は、弾球遊技機等の遊技球を遊技媒体として使用する遊技機について、遊技球を排出する遊技球排出構造およびこの構造を備えた遊技機に関する。
【背景技術】
【０００２】
従来のパチンコ機などの弾球遊技機や、遊技球を用いるスロットマシン等の遊技機は、内部に所定数の遊技球を貯留する貯留タンクを有しており、この貯留タンクには、所定の賞球の払い出しをするために遊技球が通過する払出通路と、メンテナンス時等に貯留タンクの遊技球を抜き取るための抜取通路（玉抜通路）とが繋がっている（例えば特許文献１参照）。
【０００３】
払出通路および抜取通路の上流側には、遊技球の抜取装置（球抜装置）が設けられており、この抜取装置は、遊技機の使用時には、貯留タンクの遊技球を払出通路に案内し、メンテナンス時には、この抜取装置を操作することによって、遊技球を払出通路に流れないようにするとともに、この遊技球を抜取通路に案内するようになっている。
【０００４】
抜取装置には、払出通路につながる第１分岐誘導樋と、抜取通路につながる第２分岐誘導樋と、第１分岐誘導樋に遊技球を案内する場合と第２分岐誘導樋に遊技球を案内する場合とを切り替える玉抜き切替弁とが設けられている。
【０００５】
抜取装置は、この玉抜き切替弁を操作することにより、遊技機の通常使用時に遊技球を払出通路に流す状態から、遊技球を抜き取る状態に切り替えて遊技球を抜き取ることができるようになっている。
【０００６】
第１分岐誘導樋の下流側には、スプロケットを備えた賞球払出装置が設けられており、遊技機は、このスプロケットを制御して所定の回転をさせることで、所定数の賞球を払い出すことができるようになっている。
【特許文献１】特開２００２−２００２８９号公報
【発明の開示】
【発明が解決しようとする課題】
【０００７】
従来の遊技機は、抜取装置を操作して貯留タンクの遊技球を抜き取っても、賞球払出装置のスプロケットと第１分岐誘導樋との間に遊技球が残った状態になる。このため、従来の遊技機は、例えば、賞球払出装置のクリーニングを行う場合に、この遊技球が邪魔になってしまっていた。
【０００８】
このため、遊技球を完全に抜き取ろうとすると、賞球払出装置のユニットを取り外し、スプロケット等の回転体を手動にて回転させたり、ユニットを逆さにして遊技球を抜いたりといった作業をせざるを得ない。このような作業を行う場合、遊技球が落下して飛散してしまう虞があるばかりか、対象とする台（遊技機）が多い場合には遊技球の抜き取りに膨大な時間を要し、非常に非効率的である。
【０００９】
本発明は、上記の事情に鑑みてなされたものであり、遊技球の抜き取りの際に、払出通路側に残っている遊技球を迅速に抜き取ることができ、メンテナンス作業の効率を格段に高めることができる遊技球排出構造およびこの遊技球排出構造を備えた遊技機を提供することを課題とする。
【課題を解決するための手段】
【００１０】
本発明に係る遊技球排出構造は、上記課題を解決するものであって、遊技機の上部に設けられる遊技球の貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技球排出構造であって、払出装置は、遊技球が抜取通路を通過するように切替弁が通路を切り替えたときに、この切り替えに連動してこの払出装置よりも上流側で払出通路内に残っている遊技球を下流側に払い出すように構成されてなることを特徴とする。
【００１１】
かかる構成によれば、切替弁が払出通路から抜取通路に通路を切り替えたとき、この払出装置よりも上流側で払出通路に残っている遊技球は、切替弁の切替と連動して払出装置によって下流側に迅速に払い出されるため、払出通路には遊技球が残らず、払出装置等のクリーニング等のメンテナンスの際に遊技球がこぼれ出たり、遊技球が邪魔になるということがなくなる。したがって、この遊技球排出構造は、遊技球の抜き取りの際に払出通路側に残っている遊技球を迅速に抜き取ることができ、メンテナンス作業の効率を格段に高めることができる。
【００１２】
本発明に係る遊技球排出構造は、上記課題を解決するものであって、遊技機の上部に設けられる遊技球の貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技球排出構造であって、払出装置は、遊技球が抜取通路を通過するように切替弁が通路を切り替えたときに、この切り替えに連動してこの払出装置よりも上流側で払出通路内に残っている遊技球を下流側に払い出すように構成され、払出通路には、この払出装置が払い出す遊技球を抜取通路へと流れるように案内する案内通路が設けられていることを特徴とする。
【００１３】
かかる構成によれば、切替弁が払出通路から抜取通路に通路を切り替えたとき、この払出装置よりも上流側で払出通路に残っている遊技球は、切替弁の切替と連動して払出装置によって下流側に払い出されるため、払出通路には遊技球が残らず、払出装置等のクリーニング等のメンテナンスの際に遊技球がこぼれ出たり、遊技球が邪魔になるということがなくなる。また、払出装置の上流側に残っていた遊技球は、払出装置、案内通路を介して抜取通路に流されることにより、遊技機外に払い出されて邪魔になるということもない。したがって、この遊技球排出構造は、遊技球の抜き取りの際に払出通路側に残っている遊技球を迅速に抜き取ることができ、メンテナンス作業の効率を格段に高めることができる。
【００１４】
本発明に係る遊技機は、上記課題を解決するものであって、遊技球を貯留する貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技機であって、払出装置は、遊技球が抜取通路を通過するように切替弁が通路を切り替えたときに、この切り替えに連動してこの払出装置よりも上流側で払出通路内に残っている遊技球を下流側に払い出すように構成されてなることを特徴とする。
【００１５】
かかる構成によれば、切替弁が払出通路から抜取通路に通路を切り替えたとき、この払出装置よりも上流側で払出通路に残っている遊技球は、切替弁の切替と連動して払出装置によって下流側に払い出されるため、払出通路には遊技球が残らず、払出装置等のクリーニング等のメンテナンスの際に遊技球がこぼれ出たり、遊技球が邪魔になるということがなくなる。したがって、この遊技機は、遊技球の抜き取りの際に払出通路側に残っている遊技球を迅速に抜き取ることができ、メンテナンス作業の効率を格段に高めることができる。
【００１６】
本発明に係る遊技機は、上記課題を解決するものであって、遊技球を貯留する貯留タンクと、貯留タンクの遊技球を賞球または貸し出しのために下流側に通過させて遊技機外に払い出す払出通路と、貯留タンクの遊技球を抜き取るためにこの遊技球を下流側に通過させる抜取通路と、払出通路と抜取通路とを切り替える切替弁と、切替弁の下流側でかつ払出通路の中途部に設けられるとともにこの払出通路を通る遊技球を所定の個数で排出させる払出装置とを備えた遊技機であって、払出装置は、遊技球が抜取通路を通過するように切替弁が通路を切り替えたときに、この切り替えに連動してこの払出装置よりも上流側で払出通路内に残っている遊技球を下流側に払い出すように構成され、払出通路には、この払出装置が払い出す遊技球を抜取通路へと流れるように案内する案内通路が設けられていることを特徴とする。
【００１７】
かかる構成によれば、切替弁が払出通路から抜取通路に通路を切り替えたとき、この払出装置よりも上流側で払出通路に残っている遊技球は、切替弁の切替と連動して払出装置によって下流側に払い出されるため、払出通路には遊技球が残らず、払出装置等のクリーニング等のメンテナンスの際に遊技球がこぼれ出たり、遊技球が邪魔になるということがなくなる。また、払出装置の上流側に残っていた遊技球は、払出装置、案内通路を介して抜取通路に流されることにより、遊技機外に払い出されて邪魔になるということもない。したがって、この遊技機は、遊技球の抜き取りの際に払出通路側に残っている遊技球を迅速に抜き取ることができ、メンテナンス作業の効率を格段に高めることができる。
【００１８】
また、本発明に係る遊技機は、遊技球が抜取通路を通過するように前記切替弁が通路を切り替えるときに、切替弁と当接することで払出装置を作動させる作動スイッチを有する構成を採用できる。
【００１９】
かかる構成によれば、切替弁と当接して払出装置を作動させる作動スイッチによって、切替弁の通路の切替がなされたときに、確実に払出装置を連動して作動させることができる。
【００２０】
また、本発明に係る遊技機では、前記作動スイッチは、抜取通路を区画する区画壁の内面側に設けられている構成を採用できる。
【００２１】
かかる構成によれば、作動スイッチは、抜取通路の内側に設けられることになり、この作動スイッチは、切替弁が通路を切り替えた場合にのみ払出装置を作動させることができる。したがって、貯留タンクの遊技球を抜き取る目的以外でこの作動スイッチに触れることができず、不測に作動スイッチが作動することを防止できる。
【００２２】
また、本発明に係る遊技機では、切替弁は、手動によって払出通路と抜取通路とを切り替え可能な構成を採用できる。
【００２３】
かかる構成によれば、手動により切替弁の通路の切替を行うことで、遊技機の省電力化を実現できる。
【００２４】
また、本発明に係る遊技機は、前記切替弁が遊技球の通路を抜取通路に切り替えたときに、この切り替えに連動して、払出通路を遮断するとともに、払出装置の上流側で払出通路内に残っていた遊技球を抜取通路へと案内する案内部材が払出装置の下流側に設けられている構成を採用できる。
【００２５】
かかる構成によれば、案内部材を払出通路の下流側に設けることで、払出装置を通過した遊技球は、確実に抜取通路を通って回収されることになる。
【発明の効果】
【００２６】
本発明によれば、遊技球の抜き取りの際に、払出通路側に残っている遊技球を迅速に抜き取ることができ、メンテナンス作業の効率を格段に高めることができる。
【発明を実施するための最良の形態】
【００２７】
以下、本発明を実施するための最良の形態を、図面を参照しながら説明する。
【００２８】
図１〜図１２は、遊技球排出構造およびこの排出構造を備えた遊技機の第１実施形態としてパチンコ機の例を示している。図１に示すように、本実施形態に係る遊技機１は、外枠２と、この外枠２に着脱自在かつ開閉自在に取り付けられる本体枠３と、遊技盤４と、遊技盤４を覆うガラス５を有する前扉６を備える。外枠２は、遊技店のいわゆる島設備内に設けられている。
【００２９】
前記本体枠３には、その下部側に、遊技機１内から賞球、貸し出し等によって出される遊技球８を受ける上皿９と、上皿９に所定数の遊技球８が貯まった後にさらに払い出された遊技球８を受ける下皿１０と、遊技球８を遊技盤４に対して打ち出し操作するためのハンドル１１とが設けられている。
【００３０】
遊技盤４には、本体枠３のハンドル１１の操作によって打ち出された遊技球８を遊技盤４の上部側に案内するガイドレール１５、遊技盤４を通過する遊技球８に不規則な動きをさせるための多数の遊技釘１６、遊技に関わる図柄を表示する図柄表示部１７、図柄表示部１７を作動させる始動口１８、大当たり時に開閉する大入賞口２２、複数の普通入賞口２３、および風車２４、入賞を逃した遊技球８（アウト玉）を遊技機１内に回収するアウト口２５（回収口）等が設けられている。
【００３１】
図柄表示部１７は、始動口１８に遊技球８が入ったときに変動表示するようになっている。図柄表示部１７は、例えば液晶ディスプレーで構成され、複数列（例えば３列）の数字等を順次変化させながら表示できる。遊技機１は、図柄表示部１７の複数列の数字等が揃ったときに、大当たり遊技が発生するようになっている。
【００３２】
また、この遊技機１は、大入賞口２２、普通入賞口２３に遊技球８が入ると、所定数の遊技球８を上皿９に払い出すようになっている。また、大入賞口２２は、遊技中に大当たりとなった場合に、一定時間（例えば３０秒）、所定数（例えば１０球）の遊技球８が入るまで開いた状態になる。遊技機１は、大入賞口２２がこのように一定時間開いた状態を１ラウンドとして、大当たり時には、この大入賞口２２が複数ラウンド（例えば１５ラウンド）開くとともにこの大入賞口２２に遊技球８が入ることで、多量の遊技球８を賞球として払い出すようになっている。
【００３３】
図２に示すように、遊技機１の裏側（本体枠３の背面側）には、その上部に遊技球８の貯留タンク３０が設けられている。また、遊技機１の裏側には、貯留タンク３０の遊技球８を賞球または貸し出しのために下流側に通過させて遊技機１外に払い出す払出通路３１、メンテナンス等の際に貯留タンク３０の遊技球８を抜き取るために下流側に通過させる抜取通路３２、貯留タンク３０の遊技球８を払出通路３１または抜取通路３２に誘導する誘導通路３３等が設けられている。貯留タンク３０、払出通路３１、抜取通路３２、誘導通路３３は、複数の樹脂成形体を組み合わせて形成された１つの通路形成枠３６に一体に設けられている。
【００３４】
貯留タンク３０は通路形成枠３６の上部に設けられ、誘導通路３３は、この貯留タンク３０の下方位置に設けられている。この誘導通路３３は、その一端部が貯留タンク３０に接続されており、貯留タンク３０から払出通路３１または抜取通路３２に向かうにつれて徐々に下方に傾斜している。誘導通路３３の他端部側には、貯留タンク３０から誘導した遊技球８を排出する排出口３３ａが設けられている。
【００３５】
払出通路３１の上端部は、誘導通路３３の排出口３３ａの近傍位置に設けられている。抜取通路３２の上端部には、誘導通路３３の排出口３３ａから排出された遊技球８が入る第１入球口３１ａが形成されている。同様に、抜取通路３２の上端部は、誘導通路３３の排出口３３ａの近傍に設けられている。この抜取通路３２の上端部には、誘導通路３３の排出口３３ａから排出された遊技球８が入る第２入球口３２ａが形成されている。払出通路３１の第１入球口３１ａと抜取通路３２の第２入球口３２ａは、図３、図４に示すように誘導通路３３の排出口３３ａの近傍で並設されている。
【００３６】
払出通路３１は、その中途部に払出通路３１を通過する遊技球８を所定個数に計数して下流側に排出する払出装置４１を有する。また、払出通路３１は、払出装置４１よりも下流側に、払出装置４１によって払い出された遊技球８を上皿９に誘導する第１誘導部４２と、下皿１０に誘導する第２誘導部４３、遊技盤４のアウト口２５に入った遊技球８を下方に誘導する第３誘導部４４とを有する。
【００３７】
図２に示すように、第１誘導部４２は、遊技球８を上皿９へと排出する第１排出口４６を有し、この第１排出口４６を介して上皿９と繋がっている。第２誘導部４３は、遊技球８を下皿１０への排出する第２排出口４７を有し、この第２排出口４７を介して下皿１０と繋がっている。第３誘導部４４は、その下端部が遊技店のいわゆる島設備と繋がっており、遊技盤４のアウト口２５に入った遊技球８は、この第３誘導部４４を通じて島設備に回収される。回収された遊技球８は島設備によって再び貯留タンク３０に搬送される。第３誘導部４４の中途部には、抜取通路３２が合流しており、これによって抜取通路３２を通過してきた遊技球８は、遊技機１外の島設備に回収されるようになっている。
【００３８】
払出通路３１または抜取通路３２の上方には、誘導通路３３から排出された遊技球８の通路を払出通路３１側または抜取通路３２側に切り替える切替弁５０が設けられている。この切替弁５０は払出装置４１の上流側に設けられている。切替弁５０は、弁本体５１と、この弁本体５１を回動自在に支持する支持軸５２と、弁本体５１を所定の姿勢で支持する支持部材５３とを備える。
【００３９】
弁本体５１は、図３に示すように、遊技球８が払出通路３１を通過できるように、抜取通路３２の第１入球口３１ａを塞ぎながら払出通路３１と係合する第１姿勢Ａと、図４に示すように、払出通路３１との係合を解除して、誘導通路３３から排出された遊技球８が抜取通路３２を通過できるようにする第２姿勢Ｂとに姿勢変更可能となっている。
【００４０】
図３、図４に示すように、弁本体５１は、その一端部（下端部）に弁部５１ａを有し、その他端部（上端部）に支持部材５３に係合する係合突起部５１ｂを有する。この弁本体５１の中途部は、通路形成枠３６に設けられた支持軸５２によって枢支されている。
【００４１】
弁部５１ａは、図３に示すように、弁本体５１が第１姿勢Ａにあるときに、払出通路３１の一部を構成するように、円弧状に湾曲して形成されている。また、弁本体５１が第１姿勢Ａにあるとき、この弁部５１ａは、抜取通路３２の第２入球口３２ａを塞ぐとともに、誘導通路３３の排出口３３ａから排出された遊技球８を払出通路３１の第１入球口３１ａに案内する。
【００４２】
抜取通路３２を区画構成する区画壁５６の内面５６ａ側には、切替弁５０が遊技球８の通路を抜取通路３２に切り替えるときに、この切替弁５０と当接することで払出装置４１を作動させる作動スイッチ５８が設けられている。弁部５１ａには、弁本体５１が第２姿勢Ｂになったときに、この作動スイッチ５８に当接する当接部５１ｃが設けられている。
【００４３】
作動スイッチ５８は、ボタン部５８ａ、基部５８ｂを有し、基部５８ｂとストッパー部材６３によって抜取通路３２のを区画する区画壁５６に固定されている。この基部５８ｂからは後述する玉抜制御部１０５へボタン部５８ａが押圧されたときの入力信号を送信するための接続線６４が延びており、この接続線６４の留め部材６５が区画壁５６の外面５６ｂに設けられ、接続線６４は、この留め部材６５を介して区画壁５６の外面５６ｂに沿って固定されている。
【００４４】
図４に示すように、弁本体５１が第２姿勢Ｂにあるとき、弁部５１ａは第２入球口３２ａを塞いだ位置から退避し、払出通路３１の第１入球口３１ａと抜取通路３２の第２入球口３２ａは、開放された状態になる。この状態において、誘導通路３３を通過する遊技球８は、この誘導通路３３の傾斜によって所定速度に加速され、誘導通路３３の排出口３３ａから排出されたときに、払出通路３１の第１入球口３１ａを越えて抜取通路３２の第２入球口３２ａに入るようになっている。
【００４５】
支持部材５３は、弁本体５１が第１姿勢Ａにあるとき、または第２姿勢Ｂにあるときに、その姿勢を維持するように弁本体５１を支持している。この支持部材５３は、図５に示すように、側面視Ｌ字状に形成されており、その一片（以下、「第１片５３ａ」という）に弁本体５１と係合する突起部６０が形成されている。
【００４６】
支持部材５３の他片（以下、「第２片５３ｂ」という）と通路形成枠３６との間には、この支持部材５３を付勢するバネ部材６１が設けられている。バネ部材６１は、支持部材５３の第１片５３ａに形成された突起部６０が弁本体５１の係合突起部５１ｂに向かうように、支持部材５３の第２辺部を付勢している。支持部材５３の第１片５３ａと第２片５３ｂは、側面視においてほぼ直角に交わって一体に形成されている。この支持部材５３の中途部（第１片５３ａと第２片５３ｂの交差部分）は、通路形成枠３６に設けられたブラケット部６６に枢支軸６７を介して回動自在に支持されている。
【００４７】
図４に示すように、支持部材５３の第１片５３ａに形成された突起部６０は、弁本体５１が第１姿勢Ａにあるときに弁本体５１の係合突起部５１ｂを係止する第１辺部６０ａと、弁本体５１が第２姿勢Ｂにあるときに弁本体５１の係合突起部５１ｂを係止する第２辺部６０ｂとを有する。この第１辺部６０ａは、図３、図４に示すように鉛直方向に沿って直線状に形成されている。また、第２辺部６０ｂは、鉛直方向に対して傾斜した直線状に形成されている。
【００４８】
図３、図４に示すように、支持部材５３の第１片５３ａの周囲には、支持部材５３、弁本体５１の動きを規制する壁部７０が設けられている。この壁部７０は、支持部材５３の第１片５３ａの上方に設けられた第１壁部７１と、支持部材５３の第１片５３ａまたは弁本体５１の側方に設けられた第２壁部７２および第３壁部７３とを有する。第２壁部７２および第３壁部７３は第１壁部７１と繋がって形成されている。これにより、支持部材５３の第１片５３ａと、弁本体５１の係合突起部５１ｂは、この壁部７０によって囲まれた状態になっている。
【００４９】
図２、図６、図７に示すように、切替弁５０の下流側で、払出通路３１の中途部に設けられた払出装置４１は、通路形成枠３６に設けられたケース７６と、このケース７６の外面に固定されるモータ７７と、このモータ７７を駆動する駆動基板７８と、このモータ７７の回転軸７７ａに取り付けられていて、払出通路３１を通過する遊技球８を受けるスプロケット７９を有する。このモータ７７の回転軸７７ａには、２個のスプロケット７９が設けられている。
【００５０】
図７に示すように、ケース７６に固定されたモータ７７の回転軸７７ａは、ケース７６の壁部７０を貫通して形成された貫通孔に挿通されてケース７６内に入っている。スプロケット７９は、回転軸７７ａに取り付けられた状態で、ケース７６内に配置されている。ケース７６は、その上部に第１開口部８１を有し、払出通路３１を通過する遊技球８を内部に入球可能な構成となっている。また、ケース７６は、その下部に第２開口部８２を有しており、この第２開口部８２は、払出通路３１の第１誘導部４２の上部と繋がっている。したがって、遊技球８は、ケース７６の第１開口部８１からケース７６内に入り、第２開口部８２から出て第１誘導部４２に流れるようになっている。すなわち、このケース７６は払出通路３１の一部を構成するものとなっている。
【００５１】
ケース７６の内側には、ケース７６内に入った遊技球８をスプロケット７９に案内する案内部８３が設けられている。この案内部８３は、ケース７６内に入った遊技球８をスプロケット７９の近傍位置に案内する通路である。この案内部８３は第１開口部８１と繋がって形成されている。
【００５２】
図６、図７に示すように、払出通路３１と抜取通路３２との間には、スプロケット７９から送られてきた遊技球８を抜取通路３２へと案内する案内通路９０が形成されている。案内通路９０は、切替弁５０が遊技球８の通路を抜取通路３２に切り替えるときに、これに連動して払出装置４１が払い出す遊技球８を抜取通路３２に案内するためのものである。この案内通路９０は、遊技球８の入口９０ａがケース７６内に位置するように設けられている。
【００５３】
ケース７６内において、スプロケット７９の下方位置には、遊技球８の抜き取りの際にスプロケット７９が回転したときにスプロケット７９から落とされた遊技球８を受ける受け部９１が設けられている。受け部９１は板状に構成されており、案内通路９０と連続状に繋がって形成されている。この受け部９１は、案内通路９０に向かうにつれて徐々に下方に傾斜している。
【００５４】
スプロケット７９には、複数（図例では３つ）の鉤状の突起部７９ａが形成されている。スプロケット７９は、鉤状の突起部７９ａに遊技球８を載せることができるようになっている。スプロケット７９に載った遊技球８は、スプロケット７９が図６において反時計回りに回転することにより、下方に落ち、第２開口部８２から第１誘導部４２へと流れて払出通路３１の下流側に送られるようになっている。１個のスプロケット７９が一回転すると、３個の遊技球８が払出通路３１の下流側に送られる。
【００５５】
払出通路３１は、払出装置４１よりも上流側の部分において、第１通路３１ｂと第２通路３１ｃの２本の通路が並設された構造となっており、誘導通路３３から排出された遊技球８は、第１通路３１ｂと第２通路３１ｃを通過し、払出装置４１によって計数されて下流側の第１誘導部４２に送られる。
【００５６】
なお、スプロケット７９が止まっている場合、このスプロケット７９よりも上流側の払出通路３１にある遊技球８は、このスプロケット７９によって堰き止められ、この払出装置４１よりも上流側に残った状態となっている。
【００５７】
図８に示すように、抜取通路３２の中途部には、この抜取通路３２を遮断する遮断手段９５が設けられている。この遮断手段９５は、所定のタイミングで抜取通路３２を遮断する遮断部材９６と、この遮断部材９６を付勢する付勢部材９７（バネ部材）を備える。遮断部材９６には遊技球８が通過可能な孔（以下、「通過孔９６ａ」という）が板厚方向に貫通して形成されている。遮断部材９６は、抜取通路３２の中途部を横断し、抜取通路３２とほぼ直交する方向にスライド自在に設けられている。
【００５８】
遮断部材９６は、通過孔９６ａと抜取通路３２とが一致して、遊技球８の通過を許容する通過許容位置（図８（ａ）に示す遮断部材９６の位置）と、通過孔９６ａと抜取通路３２とがずれて遊技球８の通過を遮る遮断位置（図８（ｂ）に示す遮断部材９６の位置）とに位置変更可能となっている。
【００５９】
この遮断部材９６は、遊技機１の本体枠３の開閉動作に連動して、通過許容位置と遮断位置とに位置を変更するようになっている。すなわち、遮断部材９６は、本体枠３が開いた状態のときには、遮断位置にて遊技球８が抜取通路３２を通過するのを遮断し、本体枠３が閉じた状態のときに、通過許容位置にて遊技球８を通過させるようになっている。この遮断部材９６は、例えば、遊技機１内に設けられたソレノイド（９９）、および付勢部材９７を介して通過許容位置と遮断位置とに位置変更されるようになっている。
【００６０】
遊技機１内には、図柄表示部１７の制御や賞球の払い出し、遊技球８の貸し出し等、種々の遊技の進行に関わる制御を行う制御装置１０１が設けられている。この制御装置１０１は、図９に示すように、遊技機１の大当たりの抽選等を行う主制御部１０２、主制御部１０２の抽選結果を受けて図柄表示部１７の演出等を行う副制御部１０３、遊技盤４の各入賞口に遊技球８が入り主制御部１０２が入賞を判定したことに基づいて賞球の払出を行う払出制御部１０４、抜取通路３２を介して遊技球８を抜き取る際の制御を行う球抜制御部１０５等から主構成される。なお、制御装置１０１は、遊技機１外からの貸し出し信号に応じて、払出装置４１を駆動して所定数の遊技球８を上皿９に排出して貸し出すようになっている。
【００６１】
主制御部１０２は、予め設定入力されている遊技制御プログラムに従い各種演算を行うメインＣＰＵ１１１、図柄表示部１７に表示される図柄変動パターン等を含む遊技制御プログラム等が記憶されているＲＯＭ１１２、データの読み書きに用いられるＲＡＭ１１３等を備える。
【００６２】
図１０に示すように、球抜制御部１０５は、各種演算を行うＣＰＵ１２１と、電源監視部１２２と、払出装置４１等の駆動プログラム１２４、タイマー１２５、球抜きスイッチ状態監視部１２６（作動スイッチ５８の状態監視部）、切替弁５０の開閉状態監視部１２７（切替弁５０の切替状態監視部）等が組み込まれたＲＯＭ１２８と、球抜きスイッチ状態記憶部１３１（作動スイッチ５８の状態記憶部）、切替弁５０の切り替え状態を記憶する開閉スイッチ状態記憶部１３２（切替弁５０の切替状態記憶部）、球抜き球数記憶部１３３等を有するＲＡＭ１３４とを備えている。
【００６３】
球抜制御部１０５は、電源監視部１２２によって、遊技機１の主電源のＯＮ／ＯＦＦを監視し、切替弁５０の開閉状態監視部１２７によって切替弁５０が遊技球８の通路を抜取通路３２に切り替えているかどうかを監視し、球抜きスイッチ状態監視部１２６によって、作動スイッチ５８が弁本体５１の当接部５１ｃと当接してＯＮになっているか否かを監視するようになっている。
【００６４】
払出通路３１において払出装置４１の上流側の部分に残っている遊技球８を抜き取る場合、球抜制御部１０５は、図１１に示すように、遊技機１の電源監視部１２２によって遊技機１の主電源のＯＮ／ＯＦＦをチェックする（Ｓ１）とともに、遊技機１の主電源がＯＦＦになっている場合に、開閉状態監視部１２７によって、切替弁５０が遊技球８の通路を抜取通路３２に切り替えているか否かをチェックする（Ｓ２）。
【００６５】
球抜制御部１０５は、切替弁５０が抜取通路３２に切り替わっている場合には、球抜きスイッチ状態監視部１２６によって作動スイッチ５８のＯＮ／ＯＦＦの監視を行う（Ｓ３）。そして、球抜制御部１０５は、この球抜きスイッチ状態監視部１２６によって作動スイッチ５８がＯＮになっているかどうかをチェックする（Ｓ４）とともに、作動スイッチ５８がＯＮになっている場合には、払出装置４１のモータ７７をタイマー１２５を介して所定時間駆動して（Ｓ５）、払出装置４１よりも上流側（上側）で、払出通路３１に残っている遊技球８を下流側に排出させる。
【００６６】
球抜制御部１０５は、払出装置４１の上流側に残っている遊技球８の数がわかっている場合には、その球数を払い出すのに必要な時間だけモータ７７を駆動することができる。球抜制御部１０５は、図１１に示すように、所定数の遊技球８が排出された否かをチェックし（Ｓ６）、所定数の遊技球８が排出された場合には、払出装置４１の駆動を停止する。
【００６７】
また、遊技機１内には、本体枠３が開いているか否かを感知する筐体開閉センサ（図示略）が設けられており、球抜制御部１０５は、図１２に示すように、筐体開閉センサのＯＮ／ＯＦＦを監視し（Ｓ１１）、この筐体開閉センサがＯＮのとき（本体枠３が開いているとき）、切替弁５０が遊技球８の通路を抜取通路３２に切り替えているか否かをチェックする（Ｓ１２）。切替弁５０が遊技球８の通路を抜取通路３２に切り替えている場合には、球抜制御部１０５は、遮断手段９５の遮断部材９６を操作するソレノイド９９をＯＮにし（Ｓ１３）、遮断部材９６を抜取位置から遮断位置へと位置変更させる。なお、球抜制御部１０５は、筐体開閉センサがＯＦＦのときには、前記ソレノイド９９をＯＦＦにし、遮断部材９６は、付勢部材９７の付勢力によって遮断位置から通過許容位置への位置変更する。また、遮断部材９６は、付勢部材９７の付勢力によって作動が制御されていてもよい。この場合、遮断部材９６は、遊技機１の筐体が開状態（本体枠３が開いている状態）にあるときは、本体枠３に向かって突出するように設けられる。この状態では、遮断部材９６は抜取通路３２を遮断する遮断位置に配置される。そして、この遮断部材９６は、筐体が閉状態（本体枠３が閉じられた状態）になったときに、本体枠３に押圧されて通過許容位置に変位する。
【００６８】
以下、遊技機１の貯留タンク３０の遊技球８および払出通路３１に残っている遊技球８の抜き取り方法について説明する。貯留タンク３０の遊技球８を抜き取るには、まず、弁本体５１を第１姿勢Ａから第２姿勢Ｂに変更する。弁本体５１を第１姿勢Ａから第２姿勢Ｂに変更するには、まず、支持部材５３の第１片５３ａを壁部７０の第１壁部７１に向かうように指で押し上げる。このとき、第１片５３ａは第１壁部７１に当接し、その動きが規制される。そうすると、第１片５３ａの突起部６０が上方に移動し、弁本体５１の係合突起部５１ｂから離れる。
【００６９】
このとき、弁本体５１の弁部５１ａに当接している遊技球８がこの弁部５１ａを押し、弁部５１ａは、払出通路３１から離れるように移動する。そうすると、弁本体５１は、図３において反時計回りに回動し、係合突起部５１ｂが第２壁部７２に当接するかまたは近接した状態になる。このとき押し上げていた支持部材５３の第１片５３ａを下ろすと、その突起部６０の第２辺部６０ｂが弁本体５１の係合突起部５１ｂに当接して係止する。突起部６０の第２辺部６０ｂは、支持部材５３を付勢するバネ部材６１の付勢力により、所定の押圧力で係合突起部５１ｂを係止する。
【００７０】
以上により、弁本体５１は、第１姿勢Ａから第２姿勢Ｂに姿勢変更される。弁本体５１が第２姿勢Ｂに変わると、弁部５１ａに塞がれていた抜取通路３２の第２入球口３２ａが開放され、誘導通路３３の遊技球８が抜取通路３２を通過し、これにより貯留タンク３０の遊技球８は全て抜き取られる。
【００７１】
弁本体５１が第２姿勢Ｂに変わったとき、弁部５１ａに設けられた当接部５１ｃが抜取通路３２に設けられた作動スイッチ５８に当接する。そうすると、この作動スイッチ５８がＯＮとなり、これに連動して払出装置４１が作動する。作動スイッチ５８がＯＮになると、制御装置１０１によって払出装置４１のモータ７７が駆動される。このとき、モータ７７の回転軸７７ａは、図６において時計回りに回転する。これによりスプロケット７９は、遊技球８は払い出す方向（反時計回り）とは逆の方向（時計回り）に回転する。このスプロケット７９の回転により、スプロケット７９から落ちた遊技球８は、ケース７６内の受け部９１上に載り、この受け部９１に案内されて案内通路９０から抜取通路３２へと流れる。
【００７２】
なお、弁本体５１を第２姿勢Ｂから第１姿勢Ａに変更するには、弁本体５１が図６において時計回りに回動するように係合突起部５１ｂを第２壁部７２に向かって指で押す。そうすると、支持部材５３の突起部６０の第２辺部６０ｂは、鉛直方向に対して傾斜して形成されていることから、この係合突起部５１ｂに押されて上方に移動する。
【００７３】
支持部材５３の係合突起部５１ｂは、支持部材５３の突起部６０の第２辺部６０ｂを押し上げながら、第３壁部７３に向かって移動する。弁本体５１の係合突起部５１ｂが支持部材５３の突起部６０の第２辺部６０ｂを越えたとき、支持部材５３の突起部６０による弁本体５１の係止が解除される。このとき、弁本体５１の係合突起部５１ｂは、第３壁部７３に当接または近接するが、弁本体５１の自重、または誘導通路３３からの遊技球８が弁部５１ａに当接すること等により、再び支持部材５３の突起部６０の第１辺部６０ａに当接して係止される。
【００７４】
上述したように、弁本体５１は、支持部材５３の第１片５３ａを指で押し上げることにより第１姿勢Ａから第２姿勢Ｂに姿勢変更し、また、第２姿勢Ｂにある突起部６０を第３壁部７３に向かって指で押すことにより第２姿勢Ｂから第１姿勢Ａに姿勢変更する。これにより、切替弁５０は、払出通路３１と抜取通路３２との通路の切替を手動により行うことができるようになっている。
【００７５】
以上説明した遊技球排出構造および遊技機１によれば、切替弁５０が遊技球８の通路を抜取通路３２に切り替えたとき、払出装置４１の上流側で払出通路３１に残っていた遊技球８は、切替弁５０の通路の切り替えに連動した払出装置４１による迅速な排出によって、抜取通路３２から抜き取られるため、例えば払出装置４１のクリーニング等のメンテナンス時に遊技球８が払出装置４１からこぼれ出て邪魔になるということがなく、メンテナンス時の作業性が向上する。
【００７６】
また、払出通路３１と抜取通路３２の間には、払出装置４１によって払い出される遊技球８を払出通路３１から抜取通路３２へと案内する案内通路９０が設けられているので、払出通路３１の上流側で、払出通路３１内に残っていた遊技球８は、案内通路９０を通じて抜取通路３２から遊技店内の島設備に回収されるため、遊技機１の上皿９に排出されて邪魔になることがなく、また、上皿９に排出された遊技球８が不正に使用されることをも防止できる。
【００７７】
また、切替弁５０が遊技球８の通路を払出通路３１から抜取通路３２に切り替えたとき、この切替弁５０の弁本体５１と当接することで払出装置４１を作動させるようにしているので、遊技球８を抜き取りたい場合のみに、払出装置４１の上流側で払出通路３１に残っている遊技球８を確実に抜き取ることができる。しかも、この作動スイッチ５８は、抜取通路３２を区画する区画壁５６の内面５６ａ側に設けられているので、切替弁５０が遊技球８の通路を抜取通路３２に切り替えたときにのみ作動するようになっている。これにより、遊技機１は、作動スイッチ５８が誤作動を生じ難い構成になっている。また、本実施形態では、切替弁５０の操作を手動で行うことができるようになっていることから、遊技機１の省電力化を実現できる。
【００７８】
図１３〜図１５は、遊技球排出構造および遊技機１の第２実施形態を示している。この第２実施形態では、払出装置４１の下流側に、切替弁５０が遊技球８の通路を払出通路３１から抜取通路３２に切り替えたとき、この切り替えに連動して、払出通路３１を通過する遊技球８を抜取通路３２に案内する案内部材１４０が設けられている。
【００７９】
図１３、図１４に示すように、案内部材１４０は、リンク部材１４１を介して弁本体５１と連結されている。リンク部材１４１は、長尺上の板形状とされており、その一端部に弁本体５１が第１連結軸１４２を介して連結されている。リンク部材１４１には、第１連結軸１４２が挿通される孔（図示略）が形成されており、第１連結軸１４２は、リンク部材１４１の孔に挿通された状態でリンク部材１４１と弁本体５１を連結している。弁本体５１とリンク部材１４１は、第１連結軸１４２まわりに相対回動自在に連結されている。リンク部材１４１の他端部には、案内部材１４０の一端部が第２連結軸１４３を介して連結されている。リンク部材１４１と案内部材１４０は、第２連結軸１４３まわりに相対回動自在に連結されている。リンク部材１４１には、第２連結軸１４３が挿通される孔（図示略）がこのリンク部材１４１の長手方向に長い長孔として形成されており、第２連結軸１４３は、この孔の長手方向に沿って移動可能となっている。リンク部材１４１の中途部は、第１枢支軸１４４を介して通路形成枠３６に回動自在に設けられている。案内部材１４０の他端部（基部）は、第２枢支軸１４５を介して通路形成枠３６に回動自在に設けられている。
【００８０】
第２実施形態では、図１５に示すように、払出通路３１と抜取通路３２とが並設されている。払出通路３１と抜取通路３２との間には、この払出通路３１と抜取通路３２とを区画する区画壁部１４６が設けられている。払出通路３１と抜取通路３２は、この区画壁部１４６を挟んで一体に形成されている。この区画壁部１４６には、払出通路３１と抜取通路３２と繋ぐ開口部１４７が設けられている。案内部材１４０は、弁本体５１が第１姿勢Ａにあるときに、この開口部１４７を塞ぐように設けられている。
【００８１】
弁本体５１が第１姿勢Ａにあるとき、案内部材１４０は、前記区画壁部１４６とほぼ平行になり、この区画壁部１４６の開口部１４７を閉塞している。切替弁５０が遊技球８の通路を払出通路３１から抜取通路３２に切り替えたとき（弁本体５１が第２姿勢Ｂとなったとき）、案内部材１４０は、これと連動し、この弁本体５１およびリンク部材１４１を介して第２枢支軸１４５まわりに回動する。
【００８２】
このとき、案内部材１４０は図１４に示すように払出通路３１を遮断し、案内部材１４０の回動によって区画壁部１４６の開口部１４７が払出通路３１と抜取通路３２とを連通した状態となり、払出装置４１によって下流側に払い出された遊技球８は、この案内部材１４０に当たって開口部１４７から抜取通路３２側に案内される。これによって、遊技機１は貯留タンク３０の遊技球８を抜き取り可能となっている。
【００８３】
上記構成の第２実施形態によれば、払出装置４１の下流側に設けた案内部材１４０によって、払出装置４１から払出通路３１の下流側に排出された遊技球８を抜取通路３２に案内することで、払出装置４１の上流側で払出通路３１内に残っていた遊技球８を確実に抜き取ることができる。第２実施形態のその他の構成は第１実施形態と同じである。第２実施形態は、第１実施形態と同様の作用効果を奏する。
【００８４】
なお、本発明は上記の実施の形態に限らず、種々の変更・変形が可能である。
【００８５】
例えば、上述した第２実施形態では、弁本体５１がリンク部材１４１を介して切替弁５０を連動して作動する構成を例示したが、遊技機１は、リンク部材１４１を用いずに、弁本体５１を切替弁５０と連動する構成を採用できる。すなわち、図１６に示すように、遊技機１内に弁本体５１を作動させるソレノイド１４９（下部弁切替ソレノイド）を設けておき、球抜制御部１０５の開閉状態監視部１２７が、切替弁５０が遊技球８を通路を抜取通路３２に切り替わったことを感知したとき、そして、球抜きスイッチ状態監視部１２６が作動スイッチ５８がＯＮになったことを感知したときに、球抜制御部１０５によって、このソレノイド１４９を作動させ、弁本体５１を作動させるようにしてもよい。
【００８６】
さらに、上述した実施の形態では、遊技機１の主電源がＯＦＦのときに、遊技球８の抜き取りが可能になる構成を例示したが、遊技機１の主電源がＯＮの状態であっても遊技球８の抜き取りを行うようにしてもよい。この場合、例えば、図１７に示すように、球抜制御部１０５の電源監視部１２２が、遊技機１の主電源がＯＮであることを感知した場合、主制御部１０２によって、賞球が払い出されている途中であるか否かをチェックし（Ｓ２１）、賞球が払い出されている途中であれば、主制御部１０２のＲＡＭ１１３に賞球払出指令の記憶があるかどうかをチェックする（Ｓ２２）。
【００８７】
主制御部１０２は、主制御部１０２のＲＡＭに賞球払出指令が記憶されている場合には、遊技球８の球数減算処理（Ｓ２３）を行い、払出装置４１の上流側に遊技球８が残っているか否かの判定を行う（Ｓ２４）。払出装置４１の上流側に遊技球８が残っている場合には、賞球の払出が終了したか否かがチェックされ（Ｓ２５）、賞球の払出が終了している場合には、ソレノイドを作動させて、案内部材１４０を動かして払出通路３１の遊技球８を抜取通路３２に案内可能な状態にして、払出装置４１を作動して残っている遊技球８は抜取通路３２へと排出させるようにする（Ｓ２６）。
【００８８】
また、上述した実施の形態では、遊技球８を案内通路９０を介して抜取通路３２側に通過させる例を示したが、スプロケット７９を反時計回りに回転させて第１誘導部４２の第１排出口４６から上皿９に出して、払出通路３１の上流側に残った遊技球８を抜き取るようにしてもよい。
【００８９】
上述した実施の形態では、抜取通路３２の中途部に遮断手段９５を設けた例を示したが、抜取通路３２に遮断手段９５を設けない構成を採用できる。
【００９０】
上述した実施の形態では、切替弁５０が手動により操作される例を示したが、この切替弁５０を電動によって作動させるようにしてもよい。また、上述した実施の形態では、払出通路３１と抜取通路３２を１つの通路形成枠３６に一体に設けた例を示したが、これらを別々の樹脂成形体で構成してもよい。
【００９１】
なお、上述した実施形態においては、本発明をパチンコ機に適用した例を示したが、これに限らず、アレンジボールやじゃん球等の弾球遊技機全般、および遊技球を用いたスロットマシンにも適用できることは勿論である。
【図面の簡単な説明】
【００９２】
【図１】第１実施形態に係る遊技機の正面図である。
【図２】遊技機の背面図である。
【図３】切替弁の弁本体が第１姿勢にあるときの背面図である。
【図４】切替弁の弁本体が第２姿勢にあるときの背面図である。
【図５】切替弁の弁本体が第１姿勢にあるときの側面図である。
【図６】払出装置の背面図である。
【図７】払出装置の断面図である。
【図８】（ａ）は、遮断手段が抜取通路を遮断を解除した状態を示す断面図であり、（ｂ）は、遮断手段が抜取通路を遮断した状態を示す断面図である。
【図９】遊技機の制御系統のブロック図である。
【図１０】球抜制御部のブロック図である。
【図１１】遊技球の抜き取り手順を示すフローチャートである。
【図１２】遮断手段の作動手順を示すフローチャートである。
【図１３】第２実施形態を示し、切替弁の弁本体が第１姿勢にあるときの背面図である。
【図１４】切替弁の弁本体が第２姿勢にあるときの背面図である。
【図１５】案内部材を示す部分断面図である。
【図１６】遊技機の変形例を示す制御系統のブロック図である。
【図１７】遊技機の変形例を示す遊技球の抜き取り手順のフローチャートである。
【符号の説明】
【００９３】
１…遊技機、８…遊技球、３０…貯留タンク、３１…払出通路、３２…抜取通路、４１…払出装置、５０…切替弁、５６…区画壁、５８…作動スイッチ、９０…案内通路、１４０…案内部材
【図１】
2008229243.tif 000003
【図２】
2008229243.tif 000004
【図３】
2008229243.tif 000005
【図４】
2008229243.tif 000006
【図５】
2008229243.tif 000007
【図６】
2008229243.tif 000008
【図７】
2008229243.tif 000009
【図８】
2008229243.tif 000010
【図９】
2008229243.tif 000011
【図１０】
2008229243.tif 000012
【図１１】
2008229243.tif 000013
【図１２】
2008229243.tif 000014
【図１３】
2008229243.tif 000015
【図１４】
2008229243.tif 000016
【図１５】
2008229243.tif 000017
【図１６】
2008229243.tif 000018
【図１７】
2008229243.tif 000019